(57)【要約】【課題】移動端末の移動による通信品質の変動に対応した通信制御が行え、通信効率を向上できる。【解決手段】通信制御装置１０４は、基地局から移動端末への無線通信を制御し、基地局の通信範囲内の複数のエリアのＳＩＮＲと、エリアにおける通信可否に用いるＳＩＮＲ閾値を保持するデータベース部２０２と、移動端末が位置するエリアを判定する位置判定部２２１と、移動端末が要求するデータ送信のリアルタイム性別の通信サービスと、移動端末の位置と、ＳＩＮＲの報告に基づいて、データベース部２０２を参照し、該当するエリアにおける通信サービスに対応したＳＩＮＲ閾値を決定する閾値決定部２２２と、閾値決定部２２２により決定されたＳＩＮＲ閾値をエリアに位置する移動端末のＳＩＮＲと比較し、移動端末の通信の可否を判定する通信可否判定部２２３と、を有する。【選択図】図２
2014011750.tif 000002
【特許請求の範囲】
【請求項１】
基地局と移動端末との無線による通信を制御する通信制御装置において、
前記基地局の通信範囲内の複数のエリアの通信品質と、前記エリアにおける通信可否の判定に用いる通信品質の閾値を保持するデータベースと、
前記移動端末が位置するエリアを判定する位置判定部と、
前記移動端末が要求するデータ送信の即時性別の通信サービスと、前記移動端末の位置の報告に基づいて、前記データベースを参照し、該当する前記エリアにおける前記通信サービスに対応した閾値を決定する閾値決定部と、
前記閾値決定部により決定された前記閾値を用いて、前記エリアに位置する前記移動端末に対する通信の可否を判定する通信可否判定部と、
を有することを特徴とする通信制御装置。
【請求項２】
前記通信可否判定部は、前記移動端末から前記エリアの通信品質の報告を受け、当該通信品質を前記閾値と比較して前記エリアの前記移動端末に対する通信の可否を判断することを特徴とする請求項１に記載の通信制御装置。
【請求項３】
前記データベースは、複数の前記エリアの地図情報を格納する地図情報データベースと、複数の前記エリア内の複数の位置の通信品質を保持する通信品質データベースと、を含み、
前記閾値決定部は、前記通信品質データベースに保持された前記エリア内の複数の位置の通信品質に基づき、当該エリアの前記閾値を求めることを特徴とする請求項１または２に記載の通信制御装置。
【請求項４】
前記閾値決定部は、前記エリア内の複数の位置の通信品質の累積確率値に対応して前記閾値を複数求め、
前記移動端末が要求する前記通信サービスに対応した閾値を決定することを特徴とする請求項１〜３のいずれか一つに記載の通信制御装置。
【請求項５】
前記閾値決定部は、データ送信に即時性を要求する前記通信サービスに対しては前記閾値を低く設定し、データ送信に即時性を要求しない前記通信サービスに対しては前記閾値を高く設定し、
前記通信可否判定部は、前記移動端末から報告された前記エリアの通信品質が前記閾値より高い場合に、前記エリアの前記移動端末に対して通信を許可し、前記移動端末から報告された前記エリアの通信品質が前記閾値より低い場合に、前記エリアの前記移動端末に対する通信を保留させることを特徴とする請求項２〜４のいずれか一つに記載の通信制御装置。
【請求項６】
前記閾値決定部は、予め前記閾値の上限値を有し、前記閾値が前記上限値よりも高い場合、前記上限値を前記閾値として決定することを特徴とする請求項１〜５のいずれか一つに記載の通信制御装置。
【請求項７】
前記地図情報データベースの前記複数のエリアを、前記移動端末が要求するデータサイズに応じたエリアのサイズに変更する変更部を含み、
前記閾値決定部は、変更後のエリアに含まれる複数の位置の通信品質に基づき、当該エリアの前記閾値を求めることを特徴とする請求項３〜６のいずれか一つに記載の通信制御装置。
【請求項８】
前記地図情報データベースは、前記移動端末の移動方向が予め想定できる場合、前記移動方向に沿った複数のエリアに分割されていることを特徴とする請求項３〜７のいずれか一つに記載の通信制御装置。
【請求項９】
基地局と移動端末との無線による通信を制御する通信制御装置を含む通信制御システムにおいて、
前記通信制御装置は、
前記基地局の通信範囲内の複数のエリアの通信品質と、前記エリアにおける通信可否の判定に用いる通信品質の閾値を保持するデータベースと、
前記移動端末が位置するエリアを判定する位置判定部と、
前記移動端末が要求するデータ送信の即時性別の通信サービスと、前記移動端末の位置の報告に基づいて、前記データベースを参照し、該当する前記エリアにおける前記通信サービスに対応した閾値を決定する閾値決定部と、
前記閾値決定部により決定された前記閾値を用いて、前記エリアに位置する前記移動端末に対する通信の可否を判定する通信可否判定部と、を有し、
前記移動端末は、
当該移動端末の位置と、データ送信の即時性別の通信サービスの情報を前記基地局に報告し、
前記基地局は、
前記移動端末から報告された前記移動端末の位置と、データ送信の即時性別の通信サービスの情報を前記通信制御装置に送出する
ことを特徴とする通信制御システム。
【請求項１０】
前記移動端末は、現在の位置の通信品質を報告し、
前記通信制御装置の通信可否判定部は、前記移動端末から報告を受けた通信品質を前記閾値と比較して前記エリアに位置する前記移動端末に対する通信の可否を判断する
ことを特徴とする請求項９に記載の通信制御システム。
【請求項１１】
前記移動端末は、当該移動端末の位置をＧＰＳによる緯度経度情報により報告し、
前記通信制御装置は、緯度経度情報を用いて前記複数のエリアを分割した地図情報データベースを有し、
前記位置判定部は、前記緯度経度情報を用いて、前記移動端末から報告された位置を前記地図情報データベースから検索して該当するエリアを判定する
ことを特徴とする請求項９または１０に記載の通信制御システム。
【請求項１２】
基地局と移動端末との無線による通信を制御する通信制御方法において、
前記基地局の通信範囲内を複数に分割したエリアのうち、前記移動端末が位置するエリアを判定する位置判定工程と、
前記移動端末が要求するデータ送信の即時性別の通信サービスと、前記移動端末の位置の報告に基づいて、該当する前記エリアにおける前記通信サービスに対応した閾値を決定する閾値決定工程と、
前記閾値を用いて前記エリアに位置する前記移動端末に対する通信の可否を判定する通信可否判定工程と、
を含むことを特徴とする通信制御方法。
【発明の詳細な説明】
【技術分野】
【０００１】
本発明は、通信エリア内の移動端末に対する通信を制御する通信制御装置、通信制御システムおよび通信制御方法に関する。
【背景技術】
【０００２】
近年、スマートフォンと呼ばれる多機能移動端末の普及等により、移動通信システムのトラフィックは増加し続けている。このトラフィック増加の対策の一つとして、基地局と移動端末との間の通信回線の容量を増大し、移動通信システム全体の通信容量を増やす等の施策が提案されている。このように、事業者側が通信容量を増大したとしても、ユーザ側の移動端末は、位置が頻繁に移動するため、あるエリアに位置する移動端末数は頻繁に変動し、このエリア内における移動端末数（通信の周波数利用効率）に偏りが生じる。このようなエリアごとの移動端末数の変動に対応し、基地局から移動端末に対するデータの通信（ダウンロード送信）を制御する技術がある。
【０００３】
例えば、移動端末の移動経路を推定し、推定した移動経路上のエリアごとの無線リソースの変動を予測し、無線リソースの状況に応じた通信制御を行う技術がある（例えば、下記特許文献１参照。）。例えば、無線リソースが混雑しているエリアでは、先のエリアに移動するまで通信を行わないことにより、無線リソースを効率的に利用することができる。
【０００４】
また、基地局が当該基地局から移動端末への下り通信時の通信品質について移動端末から報告を受け、基地局が通信品質の時間的な分布を求めることにより、複数の移動端末に対するチャネルの送信割当てを公平にする技術がある（例えば、下記特許文献２参照。）。このほか、移動端末が目的地情報と、予定している通信条件（例えば、リアルタイム性やビットレート等）に適した経路を探索し、移動端末の移動位置が通信条件に合致したときに通信を行い、通信品質と通信効率を向上させる技術がある（例えば、下記特許文献３参照。）。
【先行技術文献】
【特許文献】
【０００５】
【特許文献１】特開２００９−１８８８８３号公報
【特許文献２】特開２００３−１５２６３０号公報
【特許文献３】特開２００８−２３６３８１号公報
【発明の概要】
【発明が解決しようとする課題】
【０００６】
しかしながら、通信品質を予測して基地局から移動端末への通信制御を行ったとしても、所定範囲のエリア内における移動端末の位置や時間ごとに通信品質が変動する。ＳＩＮＲ値やスループット等の通信品質は、エリア内の移動端末数の増減、山やビル等による無線電波の反射、ノイズ等干渉の影響を受けて変動する。したがって、エリアにおける通信品質を正確に予測することは困難であり、従来の通信制御（ダウンロード制御）では、通信効率を向上させることができなかった。
【０００７】
例えば、無線リソースが空いているエリアまで通信を行わないこととした場合、このエリアに達した複数の移動端末が一斉に通信を行うため、このエリアの無線リソースがなくなり、他の移動端末の通信が行えなくなるという新たな問題が生じる。そして、従来技術では、移動端末毎に異なる通信条件の場合、各移動端末の通信条件を満たした通信を行い、かつ無線リソースを効率的に使用するということができない。
【０００８】
一つの側面では、本発明は、移動端末の通信品質の変動に対応した通信制御が行うことができ、通信効率を向上できることを目的とする。
【課題を解決するための手段】
【０００９】
一つの案では、基地局と、当該基地局と移動端末との無線による通信を制御する通信制御装置において、前記基地局の通信範囲内の複数のエリアの通信品質と、前記エリアにおける通信可否の判定に用いる通信品質の閾値を保持するデータベースと、前記移動端末が位置するエリアを判定する位置判定部と、前記移動端末が要求するデータ送信の即時性別の通信サービスと、前記移動端末の位置の報告に基づいて、前記データベースを参照し、該当する前記エリアにおける前記通信サービスに対応した閾値を決定する閾値決定部と、前記閾値決定部により決定された前記閾値を用いて、前記エリアに位置する前記移動端末に対する通信の可否を判定する通信可否判定部と、を有する通信制御装置を用いる。
【発明の効果】
【００１０】
一つの実施形態によれば、移動端末の通信品質の変動に対応した通信制御を行うことができ、通信効率を向上できる。
【図面の簡単な説明】
【００１１】
【図１】図１は、実施の形態１にかかる通信制御システムの構成例を示すブロック図である。
【図２】図２は、通信制御装置の機能の一例を示すブロック図である。
【図３】図３は、地図情報データベースに格納される情報を示す図である。
【図４】図４は、通信品質データベースに格納される情報を示す図である。
【図５】図５は、累積確率分布により算出したＳＩＮＲ閾値を示す図表である。
【図６】図６は、通信制御装置のハードウェア構成例を示すブロック図である。
【図７】図７は、実施の形態１にかかる通信制御装置が行う通信制御の処理内容を示すシーケンス図である。
【図８】図８は、実施の形態１による周波数利用効率向上の効果を説明するための図である。
【図９】図９は、実施の形態２にかかる通信制御装置が行う通信制御の処理内容を示すシーケンス図である。
【図１０】図１０は、実施の形態３による閾値の再設定状態を説明する図である。
【図１１】図１１は、実施の形態３にかかる通信制御装置が行う通信制御の処理内容を示すシーケンス図である。
【図１２】図１２は、エリア分割の他の例を示す図である。
【発明を実施するための形態】
【００１２】
（実施の形態１）
（システムの全体構成）
以下に添付図面を参照して、開示技術の好適な実施の形態を詳細に説明する。図１は、実施の形態１にかかる通信制御システムの構成例を示すブロック図である。この通信制御システム１００は、移動局（移動端末）１０２が無線電波により基地局１０１との通信を行う移動通信に適用することができる。
【００１３】
基地局１０１は、無線電波により移動端末１０２との間の無線回線（無線リソース）を用いた無線通信を行う無線通信部と、ネットワーク１０３を介して通信制御装置１０４との通信を行うネットワーク通信部と、を含む。また、制御部（不図示）は、通信制御装置１０４が行う通信制御に基づき、基地局１０１から移動端末１０２へのデータ送信（ダウンロード）を制御する。
【００１４】
移動端末１０２は、基地局１０１との通信を行う際に、位置情報、通信品質情報および通信サービス情報を報告する。基地局１０１は、移動端末１０２から報告を受けたこれらの情報を通信制御装置１０４に送出（転送）する。移動端末１０２は、これら位置情報、通信品質情報および通信サービス情報を生成する機能を備えている。
【００１５】
この実施の形態では、例えば、ＧＰＳ１０５の電波を受信し、移動端末１０２の位置情報を検出する位置情報検出部と、基地局１０１との間の通信時の通信品質を測定する通信品質測定部を含む。通信品質としては、移動端末１０２が受信した無線電波のＳＩＮＲ値（Ｓｉｇｎａｌ  ｔｏ  Ｉｎｔｅｒｆｅｒｅｎｃｅ  ａｎｄ  Ｎｏｉｓｅ  Ｒａｔｉｏｎ、信号対干渉雑音比）や、スループット（通信速度）、受信強度、ビット誤り率等を用いることができる。以下の説明では通信品質としてＳＩＮＲ値を用いて説明する。これらの通信品質は、移動端末１０２において簡単に検出できる。
【００１６】
通信サービス情報については、移動端末１０２が基地局１０１に要求するデータの即時性、例えば、ユーザによるダウンロードの開始操作から実際にデータがダウンロード開始されるまでの時間を大きく２つに分け、この即時性（リアルタイム性）の情報を含む。例えば、ウェブブラウジングや動画ストリーミング再生などは、送信データの即時性が求められるリアルタイムサービスに属する。一方、ノンリアルタイムサービスとしては、例えば、アプリケーションのアップデートファイルのダウンロード、すぐには必要のない資料や定期購読情報のダウンロードなどがある。
【００１７】
移動端末１０２は、起動しているアプリケーションごとに取り扱うデータが定まり、基地局１０１からダウンロードするデータも定まる。したがって、移動端末１０２は、ダウンロード送信を要求したデータ種別や、起動中のアプリケーションの種別に基づき、通信サービスの種別（基地局１０１に要求するデータのリアルタイム性）を検出できる。そして、移動端末１０２は、この通信サービス情報を基地局１０１を介して通信制御装置１０４に報告する。
【００１８】
通信制御装置１０４としては、例えばサーバが用いられる。この実施の形態における移動端末の通信制御は、図１に示すように、特定の１台の通信制御装置（サーバ）１０４を用いるに限らず、他にクラウドコンピューティングを用いて制御することとしても良い。通信制御装置１０４は、ネットワーク１０３を介して複数の基地局１０１（および移動端末１０２）に対する通信制御を行う。また、通信制御装置１０４の機能は、基地局１０１に設けることもできる。
【００１９】
（通信制御装置の構成例）
図２は、通信制御装置の機能の一例を示すブロック図である。この通信制御装置（サーバ）１０４は、通信部２０１と、データベース部２０２と、制御部２０３と、を含む。通信部２０１は、基地局１０１を介して移動端末１０２とデータの送受信を行う。データベース部２０２には、地図情報データベース２１１と、通信品質データベース２１２と、を含む。設定部（不図示）は、これらデータベース部２０２の情報を格納する。
【００２０】
地図情報データベース２１１は、地図情報を分割した複数のエリアに区切った各エリアの情報（例えば、緯度経度）を格納する。通信品質データベース２１２は、区切られたエリアごとの無線の通信品質（ＳＩＮＲ値）と、エリアごとのＳＩＮＲ閾値を格納する。地図情報データベース２１１は、通信制御装置１０４の外部においてエリア分割したものを設定部がデータベース部２０２に格納する。また、設定部において、地図情報をエリア分割する処理を行うこともできる。
【００２１】
制御部２０３は、位置判定部２２１と、閾値決定部２２２と、通信可否判定部２２３と、を含む。位置判定部２２１は、通信部２０１が移動端末１０２から受信したこの移動端末１０２の位置情報により、地図情報データベース２１１を参照する。そして、移動端末１０２が地図上のどのエリアに位置しているかを判定する。
【００２２】
閾値決定部２２２は、位置判定部２２１により判定した移動端末１０２が位置するエリアのＳＩＮＲ閾値をデータベース部２０２（通信品質データベース２１２）から読み出し、決定する。通信可否判定部２２３は、閾値決定部２２２により決定したＳＩＮＲ閾値と、移動端末１０２から報告されたＳＩＮＲ値とを比較する。そして、この比較結果により、移動端末１０２について、基地局１０１からのダウンロードの開始を許可するか否かを判定する。
【００２３】
以下の説明では、ＳＩＮＲ値がＳＩＮＲ閾値以上であれば、移動端末１０２に対し、基地局１０１からのダウンロードを開始させる。通信の可否の判定結果は、通信部２０１を介して基地局１０１に送信され、基地局１０１は、通信の可否の判定結果に対応して移動端末１０２に対する通信（ダウンロード）の開始を制御する。
【００２４】
図３は、地図情報データベースに格納される情報を示す図である。図３には、説明の便宜上、地図のイメージ（平面画像）を記載したが、地図情報データベース２１１に格納される情報は、イメージに限らず緯度経度のデータと構造物等のデータを示す数値を格納することもできる。図３に示す例では、地図情報は、縦横に等分した複数のエリアａ〜ｐに区切られる。また、各エリアａ〜ｐそれぞれの緯度経度の範囲が情報として格納されている。なお、図中の点線は地形（標高線）を示している。
【００２５】
図４は、通信品質データベースに格納される情報を示す図である。図４には、図３のエリアｃに関する情報を記載してある。この通信品質データベース２１２には、（ａ）に示す通信品質情報２１２ａと、（ｂ）に示す閾値情報２１２ｂとが格納される。（ａ）の通信品質情報２１２ａは、図３に示すエリアｃの所定範囲における複数の位置の緯度および経度と、各位置のＳＩＮＲ値とを含む。図３でみてエリアｃ内における複数の位置にそれぞれの位置のＳＩＮＲ値が分布している状態となる。この通信品質情報２１２ａは予めエリア内でＳＩＮＲ値を測定した結果が格納される。例えば、移動端末１０２から報告された位置（緯度経度）毎のＳＩＮＲ値を全て保持しておき、累積確率分布を求めておくことができる。
【００２６】
このほか、移動端末１０２から報告された毎のＳＩＮＲ値を用いて通信品質データベース２１２の該当する位置のＳＩＮＲ値を常時更新しても良い。この場合、通信品質データベース２１２の値に重みを付け、移動端末１０２から報告された同じ位置（緯度経度）のＳＩＮＲ値を加算平均するなどして、移動端末１０２が検出した短時間のＳＩＮＲ値はそのまま用いずＳＩＮＲ値の信頼度を高める。
【００２７】
図４の（ｂ）に示す閾値情報２１２ｂは、このエリアｃにおける累積確率値に対応するＳＩＮＲ閾値である。累積確率値０％〜１００％にそれぞれ対応するＳＩＮＲ閾値を求めておく。移動端末１０２から報告された通信サービス情報により、この移動端末１０２の通信サービスに応じた累積確率値のＳＩＮＲ閾値を設定する際に参照される。
【００２８】
（ＳＩＮＲ閾値の算出例）
図５は、累積確率分布により算出したＳＩＮＲ閾値を示す図表である。横軸は、ＳＩＮＲ値、縦軸は累積確率値である。図５は、図４の（ｂ）に示す閾値情報２１２ｂをグラフ化したものに相当する。
【００２９】
図４の（ａ）に示す通信品質情報２１２ａから累積確率分布を利用してＳＩＮＲの閾値を算出する。具体的には、閾値決定部２２２は、各エリアａ〜ｐにおける通信品質情報２１２ａについて累積確率分布を作成する。この累積確率分布の作成は、例えば、図４の（ａ）の通信品質情報２１２ａのデータベースから作成したいエリア（例えばエリアｃ）のＳＩＮＲ値を全て抽出し、このＳＩＮＲ値を昇順に並べることで、累積確率値に対するＳＩＮＲ値が決定する。作成した累積確率分布は、図５に示すように、累積確率値に応じたＳＩＮＲ値となる。
【００３０】
閾値決定部２２２は、通信サービスに応じて異なるＳＩＮＲ閾値を設定する。ＳＩＮＲ閾値の一例として、通信サービス情報がリアルタイムサービスの場合には、累積確率値１０％のＳＩＮＲ値：ｂｂｂ［ｄＢ］をＳＩＮＲ閾値に設定する。一方、通信サービス情報がノンリアルタイムサービスの場合には、累積確率値７０％のＳＩＮＲ値：ｄｄｄ［ｄＢ］をＳＩＮＲ閾値に設定する。
【００３１】
これにより、リアルタイムサービスでは、ＳＩＮＲ閾値が低く設定されるので、ＳＩＮＲ閾値を超える時間も増加することとなるため、通信開始の遅延が解消される。また、ノンリアルタイムサービスでは、ＳＩＮＲ閾値が高く設定される。これにより、通信品質（ＳＩＮＲ）が良好なタイミングになるまでダウンロード開始を保留させ、通信品質が良い状態になったときに効率的（短時間）にダウンロード開始させるようになる。
【００３２】
例えば、移動端末１０２が報告したＳＩＮＲ値がｃ［ｄＢ］であったとする。この場合、移動端末１０２の通信サービスがリアルタイムサービスであれば、ダウンロードを開始するが、ノンリアルタイムサービスであれば、ダウンロード開始が保留される。
【００３３】
このように、通信サービスに応じて通信開始を制御することにより、通信周波数を効率的に利用することが可能となり、移動端末１０２の通信状態（通信品質および通信サービス）に柔軟に対応できるようになる。なお、通信サービス情報がリアルタイムサービスの場合については、ＳＩＮＲ閾値を設定せず、いつでもダウンロード可能としても良い。
【００３４】
（通信制御装置のハードウェア構成例）
図６は、通信制御装置のハードウェア構成例を示すブロック図である。通信制御装置１０４は、ＣＰＵ（Ｃｅｎｔｒａｌ  Ｐｒｏｃｅｓｓｉｎｇ  Ｕｎｉｔ）６０１と、ＲＯＭ（Ｒｅａｄ‐Ｏｎｌｙ  Ｍｅｍｏｒｙ）６０２と、ＲＡＭ（Ｒａｎｄｏｍ  Ａｃｃｅｓｓ  Ｍｅｍｏｒｙ）６０３と、ＨＤＤ等の補助記憶装置６０４を含む。また、各構成部はバス６０６によってそれぞれ接続されている。
【００３５】
ここで、ＣＰＵ６０１は、通信制御装置１０４全体の制御を司る。ＲＯＭ６０２は、ブートプログラムなどのプログラムを記憶している。ＲＡＭ６０３は、ＣＰＵ６０１のワークエリアとして使用される。
【００３６】
ネットワークＩ／Ｆ６０７は、ネットワーク１０３（図１参照）に接続され、ネットワーク１０３を介して基地局１０１に接続される。図６のネットワーク１０３は、例えば、基地局１０１との間のＳ１インタフェース等のネットワーク通信路である。このほか、不図示の入出力Ｉ／Ｆを設け、キーボード等の入力デバイスやディスプレイ等の出力デバイスを接続する構成としても良い。
【００３７】
図２に示した通信部２０１は、図６に示すネットワークＩ／Ｆ６０７を用いることができる。図２に示したデータベース部２０２は、図６に示す補助記憶装置６０４を用いることができる。図２に示した制御部２０３は、図６に示すＣＰＵ６０１、ＲＯＭ６０２、ＲＡＭ６０３を用いることができる。ＲＯＭ６０２には、図２に示す制御部２０３の各機能（位置判定部２２１、閾値決定部２２２、通信可否判定部２２３）を実行するためのプログラムが格納され、ＣＰＵ６０１は、これらのプログラムを実行する。
【００３８】
（通信制御装置の通信制御処理）
図７は、実施の形態１にかかる通信制御装置が行う通信制御の処理内容を示すシーケンス図である。通信制御装置１０４の処理に加えて移動端末１０２が行う処理を記載してある。
【００３９】
はじめに、移動端末１０２は、位置情報、通信品質情報および通信サービス情報を取得し（ステップＳ７０１）、これら位置情報、通信品質情報および通信サービス情報を基地局１０１を介して通信制御装置１０４に報告する（ステップＳ７０２）。基地局１０１は、移動端末１０２から報告を受けた位置情報、通信品質情報および通信サービス情報を通信制御装置１０４に送出する。
【００４０】
通信制御装置１０４は、移動端末１０２から報告された位置情報によりこの移動端末１０２が位置しているエリアを決定する（ステップＳ７０３）。具体的には、位置判定部２２１が移動端末１０２から報告された位置情報により、地図情報データベース２１１を参照し、移動端末１０２が地図上のどのエリアにいるかを判定し、移動端末１０２の現在のエリアを決定する。
【００４１】
次に、通信制御装置１０４は、移動端末１０２から報告された通信サービス情報からエリアのＳＩＮＲ閾値を決定する（ステップＳ７０４）。具体的には、閾値決定部２２２は、位置判定部２２１から現在の移動端末１０２のエリア情報を得る。また、閾値決定部２２２は、移動端末１０２から報告を受けた通信サービス情報に基づき、データベース部２０２の閾値情報２１２ｂを参照して、この通信サービスに対応するＳＩＮＲ閾値を決定する。
【００４２】
その後、通信制御装置１０４は、移動端末１０２から報告されたＳＩＮＲ値と、閾値決定部２２２により決定されたＳＩＮＲ閾値とを比較する（ステップＳ７０５）。具体的には、通信可否判定部２２３は、閾値決定部２２２が決定したＳＩＮＲ閾値と、移動端末１０２から報告されたＳＩＮＲ値との比較を行う。そして、ＳＩＮＲ値≧ＳＩＮＲ閾値の場合は（ステップＳ７０５：通信許可）、移動端末１０２に通信の開始を指示する（ステップＳ７０６）。これにより、移動端末１０２は、基地局１０１からのダウンロードを開始する（ステップＳ７０７）。
【００４３】
一方、ＳＩＮＲ値＜ＳＩＮＲ閾値の場合は（ステップＳ７０５：通信否）、移動端末１０２に対する通信を指示せず、ステップＳ７０３の処理に戻り、再度ステップＳ７０３以下の処理を繰り返す。この場合、ＳＩＮＲ値≧ＳＩＮＲ閾値となるまで移動端末１０２は、基地局１０１からのダウンロードが保留されることになる。
【００４４】
移動端末１０２は、ステップＳ７０７によるダウンロードの開始後、ステップＳ７０１に戻る。これにより、ダウンロード開始してダウンロード終了するまでの間、以上の処理を継続し、常に通信品質と閾値とを比較してダウンロードを継続するか一時停止するかを判断する。
【００４５】
以上の通信制御により、各エリアの通信品質の変動に対応して基地局１０１から移動端末１０２へのデータ送信（ダウンロード）の開始を制御できるようになる。また、移動端末１０２における通信サービスの即時性（リアルタイム性）に応じて通信品質の閾値を変更するため、通信サービスごとの即時性に応じてダウンロード開始を制御する。これにより、即時性が求められる通信サービス中の移動端末１０２に対しては、ダウンロードをすぐに開始できる。また、即時性を有さない通信サービス中の移動端末１０２に対しては、ダウンロードを保留させ、無線リソースの占有時間をずらす。
【００４６】
これにより、基地局１０１と移動端末１０２間の無線リソースを効率よく使用できるようになり、基地局１０１と移動端末１０２間の無線通信の遅延増加を防ぐことができ、かつ、周波数利用効率を向上できるようになる。従来は、通信サービスの種別を問わず閾値が一定であるため、通信品質が閾値以下の場合には、いつまでもダウンロードが開始されず遅延時間が増大した。これに対して、上記の通信制御によれば、通信サービスがリアルタイムサービスについてはできるだけ遅延を生じずにダウンロードを開始できる。また、ノンリアルタイムサービスについては通信品質が良いタイミングでダウンロードされるため、この通信品質が良い期間に無線リソースの周波数を効率よく（占有時間を少なく）使用することができる。
【００４７】
（周波数利用効率について）
図８は、実施の形態１による周波数利用効率向上の効果を説明するための図である。縦軸はＳＩＮＲ等の通信品質を示しており、横軸は時間（および場所）を示している。横軸については、移動端末１０２が移動する状態を示す記載とし、時間に応じて違う場所に移動端末１０２が位置し、その場所での通信品質を表現するため、横軸を時間（および場所）と表示している。
【００４８】
この図８において、移動端末１０２がダウンロード時間としていずれもｔ秒間を行う２つのダウンロード区間ａとｂがあったとする。ダウンロード区間ａとｂのダウンロード量を比較した場合、ダウンロード区間ｂはダウンロード区間ａよりも通信品質が良い。この場合、ダウンロード区間ｂの方がダウンロード区間ａよりもダウンロード量（図８の斜線面積）が多くなる。同じｔ秒間であっても通信品質が良くなったときにダウンロードを開始させることにより、時間あたりのダウンロード量が多くなるという結果から、周波数利用効率を向上させることができる。
【００４９】
（実施の形態２）
（移動端末の通信品質の他の取得例）
実施の形態１では、通信制御装置１０４は、移動端末１０２から報告を受けた通信品質（ＳＩＮＲ値）を用いてＳＩＮＲ閾値を決定し、通信可否の判定を行った。これに限らず、移動端末１０２は、位置情報と通信サービスの情報だけを報告し、通信品質（ＳＩＮＲ値）を報告しないこととしても良い。この場合、通信制御装置１０４の位置判定部２２１は、通信品質データベース２１２の中から、報告された移動端末１０２の位置、または報告の位置に近い位置のＳＩＮＲ値を検索し、その検索結果をＳＩＮＲ値とする。そして、閾値決定部２２２は、検索されたＳＩＮＲ値を用いてＳＩＮＲ閾値を決定し、通信可否を判定する。実施の形態２における通信制御装置１０４の構成は、図２と同様であり、位置判定部２２１における移動端末１０２の位置判定の処理が異なる。
【００５０】
図９は、実施の形態２にかかる通信制御装置が行う通信制御の処理内容を示すシーケンス図である。はじめに、移動端末１０２は、位置情報および通信サービス情報を取得し（ステップＳ９０１）、これら位置情報および通信サービス情報を基地局１０１を介して通信制御装置１０４に報告する（ステップＳ９０２）。基地局１０１は、移動端末１０２から報告を受けた位置情報および通信サービス情報を通信制御装置１０４に送出する。
【００５１】
通信制御装置１０４は、移動端末１０２から報告された位置情報によりこの移動端末１０２が位置しているエリアを決定する（ステップＳ９０３）。具体的には、位置判定部２２１が移動端末１０２から報告された位置情報により、地図情報データベース２１１を参照し、移動端末１０２が地図上のどのエリアにいるかを判定し、移動端末１０２の現在のエリアを決定する。
【００５２】
次に、通信制御装置１０４は、移動端末１０２から報告された位置情報により通信品質データベース２１２にある同じ位置のＳＩＮＲ値を検索する（ステップＳ９０４）。これに限らず、移動端末１０２からの報告の位置に近い位置のＳＩＮＲ値を検索しても良い。そして、検索したＳＩＮＲ値を用いて通信サービス情報からエリアのＳＩＮＲ閾値を決定する（ステップＳ９０５）。具体的には、閾値決定部２２２は、位置判定部２２１から現在の移動端末１０２のエリア情報を得る。また、閾値決定部２２２は、移動端末１０２から報告を受けた通信サービス情報に基づき、データベース部２０２の閾値情報２１２ｂを参照して、この通信サービスに対応するＳＩＮＲ閾値を決定する。
【００５３】
その後、通信制御装置１０４は、移動端末１０２から報告されたＳＩＮＲ値と、閾値決定部２２２により決定されたＳＩＮＲ閾値とを比較する（ステップＳ９０６）。具体的には、通信可否判定部２２３は、通信品質データベース２１２の検索により得た移動端末１０２から報告された位置のＳＩＮＲ値と、閾値決定部２２２が決定したＳＩＮＲ閾値との比較を行う。そして、ＳＩＮＲ値≧ＳＩＮＲ閾値の場合は（ステップＳ９０６：通信許可）、移動端末１０２に通信の開始を指示する（ステップＳ９０７）。これにより、移動端末１０２は、基地局１０１からのダウンロードを開始する（ステップＳ９０８）。
【００５４】
一方、ＳＩＮＲ値＜ＳＩＮＲ閾値の場合は（ステップＳ９０６：通信否）、移動端末１０２に対する通信を指示せず、ステップＳ９０３の処理に戻り、再度ステップＳ９０３以下の処理を繰り返す。この場合、ＳＩＮＲ値≧ＳＩＮＲ閾値となるまで移動端末１０２は、基地局１０１からのダウンロードが保留されることになる。
【００５５】
移動端末１０２は、ステップＳ９０８によるダウンロードの開始後、ステップＳ９０１に戻る。これにより、ダウンロード開始してダウンロード終了するまでの間、以上の処理を継続し、常に通信品質と閾値とを比較してダウンロードを継続するか一時停止するかを判断する。
【００５６】
以上のように、実施の形態２においても、実施の形態１同様の効果を得ることができる。また、実施の形態２によれば、移動端末１０２から通信品質（ＳＩＮＲ値）の報告を不要にすることができ、移動端末１０２において通信品質を測定する機能を省くことができる。また、移動端末１０２から通信制御装置１０４に対する通信品質の情報の送信を省くことができ、データ量を削減できる。
【００５７】
（実施の形態３）
（閾値に上限を設ける例）
実施の形態３における通信制御装置１０４の構成は、図２と同様であり、閾値決定部２２２における閾値決定の処理が異なる。実施の形態３では、閾値決定部２２２に、ＳＩＮＲ閾値の上限値を設ける。そして、ＳＩＮＲの上限値よりもＳＩＮＲ閾値が高い場合にはＳＩＮＲの上限値をＳＩＮＲ閾値として再設定する。実施の形態３における通信制御装置１０４の構成は、図２と同様であり、閾値決定部２２２における閾値決定の処理が異なる。
【００５８】
図１０は、実施の形態３による閾値の再設定状態を説明する図である。横軸はエリアであり、図１０の例では３つのエリアａ〜ｃを示した。縦軸はＳＩＮＲである。図１０の（ａ）は、各エリアａ〜ｃ別のＳＩＮＲ閾値と、ＳＩＮＲ上限値である。エリアａ、ｃについては、ＳＩＮＲ閾値がＳＩＮＲ上限値よりも下の値のため、図１０の（ｂ）に示すように、そのままＳＩＮＲ閾値として利用する。
【００５９】
一方、図１０の（ａ）に示すエリアｂについては、ＳＩＮＲ閾値がＳＩＮＲ上限値を超えている。この場合、図１０の（ｂ）に示すように、閾値決定部２２２は、エリアｂのＳＩＮＲ閾値をＳＩＮＲ上限値にする。この場合、エリアｂのＳＩＮＲ閾値をＳＩＮＲ上限値まで下げる。このように、再設定されたＳＩＮＲ閾値を用いて、実施の形態１と同様のダウンロード制御を実施する。
【００６０】
これにより、エリアｂにおけるＳＩＮＲ閾値の変更前に比べて変更後は、このエリアｂでダウンロードするエリアが増加するとともに、ダウンロード量（図１０中斜線面積）を多くすることができる。
【００６１】
ＳＩＮＲ上限値の決定方法としては、エリアを問わず全国一律の値とすることができる。このほかに、都道府県、地区などを一つの大きなエリアとし、そのエリアのデータベースの累積確率分布の何％かの値をＳＩＮＲ上限値として設定しても良い。例えば、地形等に基づき通信品質（ＳＩＮＲ）が異なることに基づき、山が多いエリアと平地のエリアとを別のエリアとし所定のＳＩＮＲ上限値とする。同様に、都市部のビルが多いエリアと郊外のエリアとを別のエリアとし、ＳＩＮＲ上限値とする。
【００６２】
図１１は、実施の形態３にかかる通信制御装置が行う通信制御の処理内容を示すシーケンス図である。はじめに、移動端末１０２は、位置情報、通信品質情報および通信サービス情報を取得し（ステップＳ１１０１）、これら位置情報、通信品質情報および通信サービス情報を基地局１０１を介して通信制御装置１０４に報告する（ステップＳ１１０２）。基地局１０１は、移動端末１０２から報告を受けた位置情報、通信品質情報および通信サービス情報を通信制御装置１０４に送出する。
【００６３】
通信制御装置１０４は、移動端末１０２から報告された位置情報によりこの移動端末１０２が位置しているエリアを決定する（ステップＳ１１０３）。具体的には、位置判定部２２１が移動端末１０２から報告された位置情報により、地図情報データベース２１１を参照し、移動端末１０２が地図上のどのエリアにいるかを判定し、移動端末１０２の現在のエリアを決定する。
【００６４】
次に、通信制御装置１０４は、移動端末１０２から報告された通信サービス情報からエリアのＳＩＮＲ閾値を決定する（ステップＳ１１０４）。具体的には、閾値決定部２２２は、位置判定部２２１から現在の移動端末１０２のエリア情報を得る。また、閾値決定部２２２は、移動端末１０２から報告を受けた通信サービス情報に基づき、データベース部２０２の閾値情報２１２ｂを参照して、この通信サービスに対応するＳＩＮＲ閾値を決定する。
【００６５】
その後、通信制御装置１０４の閾値決定部２２２は、このエリアに対して設定したＳＩＮＲ閾値と、予め設定してあるＳＩＮＲ上限値とを比較して、必要であればＳＩＮＲ閾値を再設定する（ステップＳ１１０５）。具体的には、ＳＩＮＲ閾値≦ＳＩＮＲ上限値の場合、閾値決定部２２２は、ＳＩＮＲ閾値をそのまま用いる。一方、ＳＩＮＲ閾値＞ＳＩＮＲ上限値の場合、閾値決定部２２２は、ＳＩＮＲ閾値としてＳＩＮＲ上限値を再設定する。
【００６６】
この後、通信制御装置１０４は、移動端末１０２から報告されたＳＩＮＲ値と、閾値決定部２２２により決定されたＳＩＮＲ閾値とを比較する（ステップＳ１１０６）。具体的には、通信可否判定部２２３は、閾値決定部２２２が決定したＳＩＮＲ閾値と、移動端末１０２から報告されたＳＩＮＲ値と比較を行う。そして、ＳＩＮＲ値≧ＳＩＮＲ閾値の場合は（ステップＳ１１０６：通信許可）、移動端末１０２に通信の開始を指示する（ステップＳ１１０７）。これにより、移動端末１０２は、基地局１０１からのダウンロードを開始する（ステップＳ１１０８）。
【００６７】
一方、ＳＩＮＲ値＜ＳＩＮＲ閾値の場合は（ステップＳ１１０６：通信否）、移動端末１０２に対する通信を指示せず、ステップＳ１１０３の処理に戻り、再度ステップＳ１１０３以下の処理を繰り返す。この場合、ＳＩＮＲ値≧ＳＩＮＲ閾値となるまで移動端末１０２は、基地局１０１からのダウンロードが保留されることになる。
【００６８】
移動端末１０２は、ステップＳ１１０８によるダウンロードの開始後、ステップＳ１１０１に戻る。これにより、ダウンロード開始してダウンロード終了するまでの間、以上の処理を継続し、常に通信品質と閾値とを比較してダウンロードを継続するか一時停止するかを判断する。
【００６９】
以上説明した実施の形態３によれば、実施の形態１同様の効果を得ることができるとともに、ＳＩＮＲ閾値に上限を設けＳＩＮＲ閾値をエリアごとに再設定するので、適切な値をＳＩＮＲ閾値として設定でき、周波数利用効率を向上させることができる。
【００７０】
（エリア分割の他の例）
上記説明した地図上のエリアの分割方法について、図３に示した例では東西南北（緯度経度）方向に沿って一定間隔の碁盤目（マトリクス）状に分割した。これに限らず、エリアは、通信品質に応じて分割しても良い。例えば、エリアのサイズおよび形状は、通信品質（ＳＩＮＲ値）や移動端末１０２から得られる情報に応じて、変化させても良い。通信品質に対応したエリア分割方法としては、通信品質データベース２１２から、ＳＩＮＲ値が同程度である近隣の場所を一つのエリアとみなしてエリアを分割しても良い。
【００７１】
また、他のエリアの分割方法として、移動端末１０２の移動状態が予め想定できる場合、この移動端末１０２の移動方向に沿ったエリア分割を行っても良い。例えば、移動端末１０２が電車、バス等の固定された交通路線上を移動する場合に適用できる。地図上において、電車に乗車しているユーザの移動端末１０２は、この電車の線路に沿った移動経路となることが予め判る。この場合、地図を線路に沿ったエリアに分割する。例えば、線路の方向を基準として隣接するエリアを接合させる。これにより、ユーザの移動端末１０２は、電車の移動に伴い、隣接する予め想定したエリア間を移動する。
【００７２】
各エリアの形状は、緯度経度（東西南北）方向に沿わずにこの緯度経度方向に対して角度を有していても良い。各エリアのサイズは、路線に沿って長くしたり曲がり箇所を変形させても良い。また、エリア内において、移動端末１０２が立ち入ることができない区域等に対しては、エリアそのものを設定せず、この不要エリアに対しては、通信可否の判断を行わないようにすることもできる。
【００７３】
これにより、通信制御装置１０４では、移動端末１０２の移動パターンを解析せずとも、予め定めたエリア間を順次移動していき、この際に頻繁なエリア変更を防ぐことができる。一つのエリアに移動端末１０２が所定時間位置してから通過することとなるため、通信制御装置１０４における通信制御にかかる処理負担を軽減でき、高精度で安定した通信制御（ダウンロード制御）が可能となる。電車線路に限らず、バス路線も予め定められており同様に適用できる。
【００７４】
さらに他のエリアの分割方法としては、移動端末１０２が基地局１０１から受信するダウンロードサイズ（基地局１０１に要求する送信データサイズ）に応じたエリア分割を行うこともできる。移動端末１０２のダウンロードサイズに対応して、エリアのサイズを変更することにより、より高精度なダウンロード制御が可能となる。このエリアサイズの変更は、図２に示す位置判定部２２１内部あるいは外部にエリアサイズ変更部を設ける（不図示）。このエリアサイズ変更部は、移動端末１０２からダウンロードサイズの報告を受けると、ダウンロードサイズに対応して地図情報データベース２１１のエリアサイズを変更する。
【００７５】
図１２は、エリア分割の他の例を示す図である。図１２の（ａ）は図３と同様である。図１２の（ａ）に示す大きさでエリア分割を初期設定したとする。この後、移動端末１０２のダウンロードサイズが小さい場合に変更されたとする。この場合、ダウンロードに必要な時間も対応して少なくなる。このため、通信制御装置１０４のエリアサイズ変更部は、図１２の（ｂ）に示すように、エリアの分割を細かくするように変更する。対応して、変更後の同一の地図上のエリア数は増加し、このエリア数分だけＳＩＮＲ閾値も増加する。
【００７６】
なお、エリア変更に対応して一つのエリア内の複数の位置それぞれのＳＩＮＲ値を用いて変更後のエリアに対応するＳＩＮＲ閾値を求めれば良い。これにより、ダウンロード時の通信可否の判定を細かなエリアごとに判定することができるようになり、より高精度なダウンロード制御が可能となる。
【００７７】
以上説明した各実施の形態によれば、移動端末の移動経路やＳＩＮＲ値の変動を予測せずとも、無線回線（無線リソース）の周波数利用効率を向上できるようになる。特に、各種の通信サービスごとに異なる閾値を設定するため、通信サービスが要求するリアルタイム性に適した柔軟なダウンロード制御を行うことができる。リアルタイム性が要求される通信に対しては即時性を確保して要求を満たす。一方、ノンリアルタイム性の通信については、通信品質が良好な状態となるまで通信開始を保留させつつ、通信品質が良好な状態で通信させて時間あたりのダウンロード量を多くでき、通信効率を向上させる。なお、通信品質が良好な状態となる、等の通信品質の変化は、上述したように、同じエリアにおける時間の経過、あるいは移動端末が他のエリアに移動すること、のいずれかにより生じる。
【００７８】
これにより、無線リソースを効率的に使用し、周波数利用効率を向上できるようになる。また、移動端末はダウンロードデータを通信品質が良好な状態の短時間で受信できるようになるため、ダウンロードにかかる消費電力を節減でき、移動端末の電源（バッテリ）を長時間もたせることができるようになる。
【００７９】
また、上記の各実施形態では、通信サービスの種別を、リアルタイムサービスとノンリアルタイムサービスの２つに分けたが、通信サービスの種別は３つ以上の複数にさらに細分化しても良く、分割数に対応した数の閾値を用いて通信可否を判定すれば良い。これにより、通信サービス種別に応じたダウンロード開始のタイミングをより細かく制御できるようになる。
【００８０】
なお、本実施の形態で説明した通信制御方法は、予め用意されたプログラムをパーソナル・コンピュータやワークステーション等のコンピュータで実行することにより実現することができる。また、このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、このプログラムは、インターネット等のネットワークを介して配布しても良い。
【００８１】
上述した各実施の形態に関し、さらに以下の付記を開示する。
【００８２】
（付記１）基地局と移動端末との無線による通信を制御する通信制御装置において、
前記基地局の通信範囲内の複数のエリアの通信品質と、前記エリアにおける通信可否の判定に用いる通信品質の閾値を保持するデータベースと、
前記移動端末が位置するエリアを判定する位置判定部と、
前記移動端末が要求するデータ送信の即時性別の通信サービスと、前記移動端末の位置の報告に基づいて、前記データベースを参照し、該当する前記エリアにおける前記通信サービスに対応した閾値を決定する閾値決定部と、
前記閾値決定部により決定された前記閾値を用いて、前記エリアに位置する前記移動端末に対する通信の可否を判定する通信可否判定部と、
を有することを特徴とする通信制御装置。
【００８３】
（付記２）前記通信可否判定部は、前記移動端末から前記エリアの通信品質の報告を受け、当該通信品質を前記閾値と比較して前記エリアの前記移動端末に対する通信の可否を判断することを特徴とする付記１に記載の通信制御装置。
【００８４】
（付記３）前記データベースは、複数の前記エリアの地図情報を格納する地図情報データベースと、複数の前記エリア内の複数の位置の通信品質を保持する通信品質データベースと、を含み、
前記閾値決定部は、前記通信品質データベースに保持された前記エリア内の複数の位置の通信品質に基づき、当該エリアの前記閾値を求めることを特徴とする付記１または２に記載の通信制御装置。
【００８５】
（付記４）前記閾値決定部は、前記エリア内の複数の位置の通信品質の累積確率値に対応して前記閾値を複数求め、
前記移動端末が要求する前記通信サービスに対応した閾値を決定することを特徴とする付記１〜３のいずれか一つに記載の通信制御装置。
【００８６】
（付記５）前記閾値決定部は、データ送信に即時性を要求する前記通信サービスに対しては前記閾値を低く設定し、データ送信に即時性を要求しない前記通信サービスに対しては前記閾値を高く設定し、
前記通信可否判定部は、前記移動端末から報告された前記エリアの通信品質が前記閾値より高い場合に、前記エリアの前記移動端末に対して通信を許可し、前記移動端末から報告された前記エリアの通信品質が前記閾値より低い場合に、前記エリアの前記移動端末に対する通信を保留させることを特徴とする付記２〜４のいずれか一つに記載の通信制御装置。
【００８７】
（付記６）前記閾値決定部は、予め前記閾値の上限値を有し、前記閾値が前記上限値よりも高い場合、前記上限値を前記閾値として決定することを特徴とする付記１〜５のいずれか一つに記載の通信制御装置。
【００８８】
（付記７）前記地図情報データベースの前記複数のエリアを、前記移動端末が要求するデータサイズに応じたエリアのサイズに変更する変更部を含み、
前記閾値決定部は、変更後のエリアに含まれる複数の位置の通信品質に基づき、当該エリアの前記閾値を求めることを特徴とする付記３〜６のいずれか一つに記載の通信制御装置。
【００８９】
（付記８）前記地図情報データベースは、前記移動端末の移動方向が予め想定できる場合、前記移動方向に沿った複数のエリアに分割されていることを特徴とする付記３〜７のいずれか一つに記載の通信制御装置。
【００９０】
（付記９）前記地図情報データベースの前記複数のエリアは、前記地図情報に移動方向が特定できる交通路線に沿って分割されていることを特徴とする付記８に記載の通信制御装置。
【００９１】
（付記１０）前記通信品質は、信号対干渉雑音比であること特徴とする付記１〜９のいずれか一つに記載の通信制御装置。
【００９２】
（付記１１）基地局と移動端末との無線による通信を制御する通信制御装置を含む通信制御システムにおいて、
前記通信制御装置は、
前記基地局の通信範囲内の複数のエリアの通信品質と、前記エリアにおける通信可否に用いる通信品質の閾値を保持するデータベースと、
前記移動端末が位置するエリアを判定する位置判定部と、
前記移動端末が要求するデータ送信の即時性別の通信サービスと、前記移動端末の位置の報告に基づいて、前記データベースを参照し、該当する前記エリアにおける前記通信サービスに対応した閾値を決定する閾値決定部と、
前記閾値決定部により決定された前記閾値を用いて、前記エリアに位置する前記移動端末に対する通信の可否を判定する通信可否判定部と、を有し、
前記移動端末は、
当該移動端末の位置と、データ送信の即時性別の通信サービスの情報を前記基地局に報告し、
前記基地局は、
前記移動端末から報告された前記移動端末の位置と、データ送信の即時性別の通信サービスの情報を前記通信制御装置に送出する
ことを特徴とする通信制御システム。
【００９３】
（付記１２）前記移動端末は、現在の位置の通信品質を報告し、
前記通信制御装置の通信可否判定部は、前記移動端末から報告を受けた通信品質を前記閾値と比較して前記エリアに位置する前記移動端末に対する通信の可否を判断する
ことを特徴とする付記１１に記載の通信制御システム。
【００９４】
（付記１３）前記移動端末は、当該移動端末の位置をＧＰＳによる緯度経度情報により報告し、
前記通信制御装置は、緯度経度情報を用いて前記複数のエリアを分割した地図情報データベースを有し、
前記位置判定部は、前記緯度経度情報を用いて、前記移動端末から報告された位置を前記地図情報データベースから検索して該当するエリアを判定する
ことを特徴とする付記１１または１２に記載の通信制御システム。
【００９５】
（付記１４）基地局と移動端末との無線による通信を制御する通信制御方法において、
前記基地局の通信範囲内を複数に分割したエリアのうち、前記移動端末が位置するエリアを判定する位置判定工程と、
前記移動端末が要求するデータ送信の即時性別の通信サービスと、前記移動端末の位置の報告に基づいて、該当する前記エリアにおける前記通信サービスに対応した閾値を決定する閾値決定工程と、
前記閾値を用いて前記エリアに位置する前記移動端末に対する通信の可否を判定する通信可否判定工程と、
を含むことを特徴とする通信制御方法。
【符号の説明】
【００９６】
１００  通信制御システム
１０１  基地局
１０２  移動端末
１０３  ネットワーク
１０４  通信制御装置（サーバ）
２０１  通信部
２０２  データベース部
２０３  制御部
２１１  地図情報データベース
２１２  通信品質データベース
２１２ａ  通信品質情報
２１２ｂ  閾値情報
２２１  位置判定部
２２２  閾値決定部
２２３  通信可否判定部
【図１】
2014011750.tif 000003
【図２】
2014011750.tif 000004
【図３】
2014011750.tif 000005
【図４】
2014011750.tif 000006
【図５】
2014011750.tif 000007
【図６】
2014011750.tif 000008
【図７】
2014011750.tif 000009
【図８】
2014011750.tif 000010
【図９】
2014011750.tif 000011
【図１０】
2014011750.tif 000012
【図１１】
2014011750.tif 000013
【図１２】
2014011750.tif 000014